(57)【要約】【課題】スライドショー再生において再生の冗長性などを軽減する。【解決手段】入力画像２０１〜２０３の撮影後、入力画像２０１を加工することによって入力画像２０４が生成され、その後、入力画像２０５が撮影されたとき、入力画像２０１〜２０５は夫々画像ファイル２２１〜２２５に格納されて記録媒体に記録される。このとき、入力画像２０４が入力画像２０１の加工画像であることを示すリンク情報を画像ファイル２２１又は２２４のヘッダ領域に記録しておく。スライドショー再生時には、リンク情報に基づき入力画像２０１及び２０４のどちらか一方を再生対象から除外する。或いは、入力画像２０１及び２０４を連続的に再生する。【選択図】図６
2012090188.tif 000002
【特許請求の範囲】
【請求項１】
第１及び第２入力画像を含む複数の入力画像の再生を行う画像再生装置において、
前記複数の入力画像を順次再生するスライドショー再生を実行する再生制御部と、
前記第２入力画像が前記第１入力画像に基づく画像である場合、又は、前記第１入力画像が動画像であって且つ前記第２入力画像が前記第1入力画像の撮影期間中に撮影された静止画像である場合、前記第１及び第２入力画像間の関係に応じたリンク情報を生成するリンク情報処理部と、を備え、
前記再生制御部は、前記リンク情報が存在する場合、前記リンク情報に基づいて前記スライドショー再生を実行する
ことを特徴とする画像再生装置。
【請求項２】
前記第２入力画像が前記第１入力画像に基づく画像である場合、又は、前記第１入力画像が動画像であって且つ前記第２入力画像が前記第1入力画像の撮影期間中に撮影された静止画像である場合、
前記再生制御部は、前記スライドショー再生において、前記第１及び第２入力画像の何れか一方を再生対象から除外する
ことを特徴とする請求項１に記載の画像再生装置。
【請求項３】
前記第２入力画像が前記第１入力画像に基づく画像である場合、又は、前記第１入力画像が動画像であって且つ前記第２入力画像が前記第1入力画像の撮影期間中に撮影された静止画像である場合、
前記再生制御部は、前記スライドショー再生において、前記第１及び第２入力画像を同時に再生する
ことを特徴とする請求項１に記載の画像再生装置。
【請求項４】
前記第２入力画像が前記第１入力画像に基づく画像である場合とそうでない場合との間で、前記スライドショー再生における前記複数の入力画像の再生順序は異なり、
前記第２入力画像が前記第１入力画像に基づく画像である場合、
前記再生制御部は、前記スライドショー再生において前記第１及び第２入力画像が連続して再生されるように前記再生順序を決定する
ことを特徴とする請求項１に記載の画像再生装置。
【請求項５】
前記第１入力画像が動画像であって且つ前記第２入力画像が前記第1入力画像の撮影期間中に撮影された静止画像である場合、
前記再生制御部は、前記第２入力画像の撮影時刻を基準とする特定期間を設定し、前記スライドショー再生において前記特定期間中の前記動画像を再生する
ことを特徴とする請求項１に記載の画像再生装置。
【請求項６】
前記第１入力画像が動画像であって且つ前記第２入力画像が前記第1入力画像の撮影期間中に撮影された静止画像である場合、
前記再生制御部は、前記スライドショー再生において、前記動画像の再生を行いつつ前記動画像の再生中に前記静止画像の再生を挿入する
ことを特徴とする請求項１に記載の画像再生装置。
【請求項７】
前記リンク情報処理部は、前記リンク情報を、前記第１入力画像の画像データを格納している第１画像ファイル、前記第２入力画像の画像データを格納している第２画像ファイル、又は、前記第１及び第２画像ファイルとは異なるファイルに格納した上で記録媒体に記録する
ことを特徴とする請求項１〜請求項６の何れかに記載の画像再生装置。
【請求項８】
前記第１入力画像に基づく画像は、前記第１入力画像を加工することで得た画像である
ことを特徴とする請求項１〜請求項７の何れかに記載の画像再生装置。
【請求項９】
第１及び第２入力画像を含む複数の入力画像の再生を行う画像再生方法において、
前記複数の入力画像を順次再生するスライドショー再生を実行する再生制御ステップと、
前記第２入力画像が前記第１入力画像に基づく画像である場合、又は、前記第１入力画像が動画像であって且つ前記第２入力画像が前記第1入力画像の撮影期間中に撮影された静止画像である場合、前記第１及び第２入力画像間の関係に応じたリンク情報を生成するリンク情報処理ステップと、を実行し、
前記再生制御ステップでは、前記リンク情報が存在する場合、前記リンク情報に基づいて前記スライドショー再生を実行する
ことを特徴とする画像再生方法。
【請求項１０】
請求項９に記載の再生制御ステップ及びリンク情報処理ステップをコンピュータに実行させるためのプログラム。
【発明の詳細な説明】
【技術分野】
【０００１】
本発明は、画像の再生を行うための画像再生装置、画像再生方法及びプログラムに関する。
【背景技術】
【０００２】
複数の入力画像の再生方法として、スライドショーによる再生方法がある。代表的なスライドショー再生方法では、再生対象に含められた入力画像を単純にファイル番号順又は生成時刻順に並べた上で１枚ずつ一定時間間隔にて順次表示画面上に表示する。ファイル番号は、通常、生成時刻順に付与される。従って、スライドショー再生では、基本的に時系列に沿って再生が進行し、入力画像によっては再生映像が全体として物語のような映像効果を生み出すことがある。
【０００３】
他方、画像再生装置には、入力画像を加工する機能が備えられていることが多い。入力画像の加工とは、入力画像の輝度、彩度又は色相の変更、入力画像の画像サイズの拡大又は縮小などである。
【０００４】
今、図２６に示す如く、デジタルカメラにおいて入力画像９０１〜９０３を撮影した後、入力画像９０１を加工することによって入力画像９０４を生成し、その後、入力画像９０５を撮影したことを想定する。この場合、通常、入力画像９０１〜９０５を格納する５つの画像ファイルに対して生成時刻順に連続番号であるファイル番号が与えられた上で、それらの画像ファイルが半導体メモリ等の記録媒体に記録される。
【０００５】
従って、入力画像９０１〜９０５を再生対象に含めたスライドショー再生を実行すると、図２７に示す如く、入力画像９０１、９０２、９０３、９０４及び９０５が、この順番で順次再生されることになる。
【０００６】
また、動画像の撮影中に静止画像を撮影可能なデジタルカメラも普及している。この種のデジタルカメラにおいて、図２８（ａ）及び（ｂ）に示す如く、動画像９１１の撮影期間中に静止画像９１２及び９１３を撮影し、動画像９１１の撮影終了後に、静止画像９１４及び９１５を撮影した場合を考える。この場合において、画像９１１〜９１５を再生対象の入力画像として含めたスライドショー再生を実行すると、図２９に示す如く、画像９１１、９１２、９１３、９１４及び９１５が、この順番で順次再生されることになる。
【０００７】
尚、複数の画像間の類似度に応じたスライドショー再生を行う方法も提案されている（例えば、下記特許文献１及び２参照）。
【先行技術文献】
【特許文献】
【０００８】
【特許文献１】特開２００６−１４０５５９号公報
【特許文献２】特開２００６−２４６１２７号公報
【発明の概要】
【発明が解決しようとする課題】
【０００９】
図２６の入力画像９０１と入力画像９０４は互いに関連していると言え、図２８（ｂ）の入力画像９１１と入力画像９１２及び９１３も互いに関連していると言える。しかしながら、従来のスライドショー再生では、それらの関連性を全く考慮することなく再生が行われる。このため、再生映像が全体として冗長になる等の弊害が生じえる。例えば、図２７のスライドショー再生では、入力画像９０１とそれに類似していると思われる入力画像９０４とが別個独立に再生されるため、再生内容が冗長になりうる。
【００１０】
そこで本発明は、複数の画像間の関係に応じた適切なスライドショー再生を実行しうる画像再生装置、画像再生方法及びプログラムを提供することを目的とする。
【課題を解決するための手段】
【００１１】
本発明に係る画像再生装置は、第１及び第２入力画像を含む複数の入力画像の再生を行う画像再生装置において、前記複数の入力画像を順次再生するスライドショー再生を実行する再生制御部と、前記第２入力画像が前記第１入力画像に基づく画像である場合、又は、前記第１入力画像が動画像であって且つ前記第２入力画像が前記第1入力画像の撮影期間中に撮影された静止画像である場合、前記第１及び第２入力画像間の関係に応じたリンク情報を生成するリンク情報処理部と、を備え、前記再生制御部は、前記リンク情報が存在する場合、前記リンク情報に基づいて前記スライドショー再生を実行することを特徴とする。
【００１２】
第２入力画像が第１入力画像に基づく画像である場合などにおいて第１及び第２入力画像間の関係に応じたリンク情報を生成し、リンク情報に応じてスライドショー再生を行うことで、第１及び第２入力画像間の関係に応じた適切なスライドショー再生を実行することが可能となる。
【００１３】
具体的には例えば、前記第２入力画像が前記第１入力画像に基づく画像である場合、又は、前記第１入力画像が動画像であって且つ前記第２入力画像が前記第1入力画像の撮影期間中に撮影された静止画像である場合、前記再生制御部は、前記スライドショー再生において、前記第１及び第２入力画像の何れか一方を再生対象から除外する。
【００１４】
これにより、再生内容の冗長性の抑制効果が期待される。
【００１５】
或いは例えば、前記第２入力画像が前記第１入力画像に基づく画像である場合、又は、前記第１入力画像が動画像であって且つ前記第２入力画像が前記第1入力画像の撮影期間中に撮影された静止画像である場合、前記再生制御部は、前記スライドショー再生において、前記第１及び第２入力画像を同時に再生する。
【００１６】
これによっても、再生内容の冗長性の抑制効果が期待される。
【００１７】
更に或いは例えば、前記第２入力画像が前記第１入力画像に基づく画像である場合とそうでない場合との間で、前記スライドショー再生における前記複数の入力画像の再生順序は異なり、前記第２入力画像が前記第１入力画像に基づく画像である場合、前記再生制御部は、前記スライドショー再生において前記第１及び第２入力画像が連続して再生されるように前記再生順序を決定する。
【００１８】
これにより、再生映像の物語性が維持されうる。
【００１９】
更に或いは例えば、前記第１入力画像が動画像であって且つ前記第２入力画像が前記第1入力画像の撮影期間中に撮影された静止画像である場合、前記再生制御部は、前記第２入力画像の撮影時刻を基準とする特定期間を設定し、前記スライドショー再生において前記特定期間中の前記動画像を再生する。
【００２０】
更に或いは例えば、前記第１入力画像が動画像であって且つ前記第２入力画像が前記第1入力画像の撮影期間中に撮影された静止画像である場合、記再生制御部は、前記スライドショー再生において、前記動画像の再生を行いつつ前記動画像の再生中に前記静止画像の再生を挿入する。
【００２１】
また具体的には例えば、前記リンク情報処理部は、前記リンク情報を、前記第１入力画像の画像データを格納している第１画像ファイル、前記第２入力画像の画像データを格納している第２画像ファイル、又は、前記第１及び第２画像ファイルとは異なるファイルに格納した上で記録媒体に記録する。
【００２２】
また具体的には例えば、前記第１入力画像に基づく画像は、前記第１入力画像を加工することで得た画像である。
【００２３】
本発明に係る画像再生方法は、第１及び第２入力画像を含む複数の入力画像の再生を行う画像再生方法において、前記複数の入力画像を順次再生するスライドショー再生を実行する再生制御ステップと、前記第２入力画像が前記第１入力画像に基づく画像である場合、又は、前記第１入力画像が動画像であって且つ前記第２入力画像が前記第1入力画像の撮影期間中に撮影された静止画像である場合、前記第１及び第２入力画像間の関係に応じたリンク情報を生成するリンク情報処理ステップと、を実行し、前記再生制御ステップでは、前記リンク情報が存在する場合、前記リンク情報に基づいて前記スライドショー再生を実行することを特徴とする。
【００２４】
そして、上記の再生制御ステップ及びリンク情報処理ステップをコンピュータに実行させるためのプログラムを形成すると良い。
【発明の効果】
【００２５】
本発明によれば、複数の画像間の関係に応じた適切なスライドショー再生を実行しうる画像再生装置、画像再生方法及びプログラムを提供することが可能である。
【図面の簡単な説明】
【００２６】
【図１】本発明の第１実施形態に係る撮像装置の概略全体ブロック図である。
【図２】図１の撮像部の内部構成図である。
【図３】画像ファイルの構造を示す図である。
【図４】画像ファイルのヘッダ領域に格納することのできる付加データの内容を説明するための図である。
【図５】画像編集機能及びスライドショー機能の実現に関与する部位のブロック図である。
【図６】本発明の第１実施形態に係る５つの入力画像及び５つの画像ファイルを示す図である。
【図７】本発明の第１実施形態に係る基本スライドショー再生の内容を示す図である。
【図８】本発明の第１実施形態に係り、リンク情報の記録に関する３つのリンク方法を説明するための図である。
【図９】本発明の第１実施形態に係り、改良スライドショー再生の具体的手順における動作フローチャートである。
【図１０】本発明の第１実施形態に係り、改良スライドショー再生における再生内容を表す図である。
【図１１】本発明の第１実施形態に係り、改良スライドショー再生における他の再生内容を表す図である。
【図１２】本発明の第１実施形態に係り、改良スライドショー再生における更に他の再生内容を表す図である。
【図１３】本発明の第１実施形態に係り、改良スライドショー再生における更に他の再生内容を表す図である。
【図１４】本発明の第１実施形態に係り、改良スライドショー再生の他の具体的手順における動作フローチャートである。
【図１５】本発明の第１実施形態に係り、改良スライドショー再生の更に他の具体的手順における動作フローチャートである。
【図１６】本発明の第１実施形態の応用例に係る複数の画像ファイルを示す図である。
【図１７】本発明の第２実施形態に係り、動画像及び静止画像の撮影時間関係を示す図（ａ）と、５つの入力画像及び５つの画像ファイルを示す図（ｂ）である。
【図１８】本発明の第２実施形態に係る基本スライドショー再生の内容を示す図である。
【図１９】本発明の第２実施形態に係り、リンク情報の記録に関する３つのリンク方法を説明するための図である。
【図２０】本発明の第２実施形態に係り、改良スライドショー再生における再生内容を表す図である。
【図２１】本発明の第２実施形態に係り、改良スライドショー再生における他の再生内容を表す図である。
【図２２】本発明の第２実施形態に係り、改良スライドショー再生における更に他の再生内容を表す図である。
【図２３】本発明の第２実施形態に係り、改良スライドショー再生における更に他の再生内容を説明するための図である。
【図２４】本発明の第２実施形態に係り、改良スライドショー再生における更に他の再生内容を説明するための図である。
【図２５】本発明に係る電子機器の内部ブロック図である。
【図２６】従来技術を説明するための図であって、５つの入力画像の時間的関係を説明するための図である。
【図２７】図２６の画像に対する、従来のスライドショー再生の内容を表す図である。
【図２８】従来技術を説明するための図であって、５つの入力画像（１つの動画像と４つの静止画像）の時間的関係を説明するための図である。
【図２９】図２８の画像に対する、従来のスライドショー再生の内容を表す図である。
【発明を実施するための形態】
【００２７】
＜＜第１実施形態＞＞
本発明の第１実施形態を説明する。図１は、第１実施形態に係る撮像装置１の概略全体ブロック図である。撮像装置１は、静止画像及び動画像を撮影及び記録可能なデジタルビデオカメラである。但し、撮像装置１は、静止画像のみを撮影及び記録可能なデジタルスチルカメラであっても良い。また、撮像装置１は、携帯電話機などの携帯端末に搭載されるものであっても良い。
【００２８】
撮像装置１は、撮像部１１と、ＡＦＥ（Analog Front End）１２と、主制御部１３と、内部メモリ１４と、表示部１５と、記録媒体１６と、操作部１７と、を備えている。尚、表示部１５は撮像装置１の外部機器（不図示）に設けられたものである、と解釈しても良い。
【００２９】
図２に、撮像部１１の内部構成図を示す。撮像部１１は、光学系３５と、絞り３２と、ＣＣＤ（Charge Coupled Device）やＣＭＯＳ（Complementary Metal Oxide Semiconductor）イメージセンサなどから成る撮像素子３３と、光学系３５や絞り３２を駆動制御するためのドライバ３４と、を有している。光学系３５は、ズームレンズ３０及びフォーカスレンズ３１を含む複数枚のレンズから形成される。ズームレンズ３０及びフォーカスレンズ３１は光軸方向に移動可能である。ドライバ３４は、主制御部１３からの制御信号に基づいてズームレンズ３０及びフォーカスレンズ３１の各位置並びに絞り３２の開度を駆動制御することにより、撮像部１１の焦点距離（画角）及び焦点位置並びに撮像素子３３への入射光量（換言すれば、絞り値）を制御する。
【００３０】
撮像素子３３は、光学系３５及び絞り３２を介して入射した被写体を表す光学像を光電変換し、該光電変換によって得られた電気信号をＡＦＥ１２に出力する。より具体的には、撮像素子３３は、マトリクス状に二次元配列された複数の受光画素を備え、各撮影において、各受光画素は露光時間に応じた電荷量の信号電荷を蓄える。蓄えた信号電荷の電荷量に比例した大きさを有する各受光画素からのアナログ信号は、撮像装置１内で生成される駆動パルスに従って順次ＡＦＥ１２に出力される。
【００３１】
ＡＦＥ１２は、撮像部１１（撮像素子３３）から出力されるアナログ信号を増幅し、増幅されたアナログ信号をデジタル信号に変換する。ＡＦＥ１２は、このデジタル信号をＲＡＷデータとして主制御部１３に出力する。ＡＦＥ１２における信号増幅の増幅度は、主制御部１３によって制御される。
【００３２】
主制御部１３は、ＣＰＵ（Central Processing Unit）、ＲＯＭ（Read Only Memory）及びＲＡＭ（Random Access Memory）等から成る。主制御部１３は、ＡＦＥ１２からのＲＡＷデータに基づいて、撮像部１１によって撮影された画像（以下、撮影画像とも言う）を表す画像データを生成する。ここで生成される画像データには、例えば、輝度信号及び色差信号が含まれる。但し、ＲＡＷデータそのものも画像データの一種であり、撮像部１１から出力されるアナログ信号も画像データの一種である。また、主制御部１３は、表示部１５の表示内容を制御する表示制御部としての機能をも備え、表示に必要な制御を表示部１５に対して行う。
【００３３】
内部メモリ１４は、ＳＤＲＡＭ（Synchronous Dynamic Random Access Memory）等にて形成され、撮像装置１内で生成された各種データを一時的に記憶する。
【００３４】
表示部１５は、液晶ディスプレイパネル等の表示画面を有する表示装置であり、主制御部１３の制御の下、撮影された画像や記録媒体１６に記録されている画像などを表示する。本明細書において、単に表示及び表示画面と言った場合、それらは、表示部１５における表示及び表示画面を指すものとする。表示部１５にはタッチパネル１９が設けられており、ユーザは、表示部１５の表示画面を操作体（指やタッチペンなど）で触れることで撮像装置１に特定の指示を与えることができる。尚、タッチパネル１９を割愛することも可能である。
【００３５】
記録媒体１６は、カード状半導体メモリや磁気ディスク等の不揮発性メモリであり、主制御部１３による制御の下、撮影画像の画像データ等を記録する。操作部１７は、静止画像の撮影指示を受け付けるシャッタボタン２０等を備え、外部からの各種操作を受け付ける。操作部１７に対する操作内容は、主制御部１３に伝達される。
【００３６】
撮像装置１には、入力画像を加工する画像編集機能と、表示部１５にて複数の入力画像を順次再生させるスライドショー機能と、が備えられている。入力画像とは、任意の静止画像又は動画像である。ここでは、入力画像が撮像装置１によって撮影された静止画像又は動画像であり、入力画像の画像データが記録媒体１６に記録されていることを想定する。画像データを記録媒体１６に記録する際、画像データを圧縮するようにしても良い。以下の説明では、説明の簡略化上、画像データが圧縮されているか否かを意識しない。
【００３７】
入力画像の画像データを、画像ファイルに格納した上で記録媒体１６に記録することができる。図３に、１つの画像ファイルの構造を示す。１つの静止画像又は動画像に対して１つの画像ファイルを作成することができる。画像ファイルの構造を任意の規格に準拠させることができる。画像ファイルは、静止画像又は動画像の画像データが格納される本体領域と、付加データが格納されるヘッダ領域と、からなる。
【００３８】
図４に示す如く、或る画像ファイルに対する付加データに、当該画像ファイルの固有名称であるファイル名、当該画像ファイルに対応する入力画像の撮影時刻を表す撮影時刻データ、当該画像ファイルに対応する入力画像の撮影地点を表す撮影地点データ、当該画像ファイルに対応する入力画像の生成時刻を表す生成時刻データなどを含めることができる。
【００３９】
入力画像が動画像である場合、その入力画像の撮影時刻は、例えば、入力画像としての動画像の撮影開始時刻とされる。或る入力画像が撮像装置１の撮影によって得られた画像そのものである場合（即ち、或る入力画像が後述の加工編集処理を経て得られた画像ではない場合）、その入力画像の撮影時刻と生成時刻は一致する。画像ファイルに格納された入力画像が後述の加工編集処理を経て得られた画像である場合、当該入力画像の生成時刻は当該画像編集処理が成された時刻であるため、当該入力画像の撮影時刻と生成時刻は相違する。付加データに、撮影時刻データ及び生成時刻データの内、何れか一方の時刻データしか含められていない場合もある。
【００４０】
図５に、画像編集機能及びスライドショー機能の実現に特に関与する部位のブロック図を示す。画像処理部５１、リンク情報処理部５２及び表示制御部５３を、例えば、図１の主制御部１３に設けておくことができる。表示制御部５３には、スライドショー制御部５４が設けられている。
【００４１】
画像処理部５１は、ユーザの編集指示に従って、記録媒体１６に記録されている任意の入力画像を自由に加工することができる。編集指示を含むユーザによる任意の指示を、タッチパネル１９又は操作部１７への操作によって実現することができる。編集指示に従って入力画像を加工する処理を、加工編集処理と呼ぶ。編集指示に従って入力画像の画像データを変更する任意の処理は、入力画像の加工編集処理に相当する。例えば、入力画像の全体又は一部における輝度、彩度又は色相を変更する処理、入力画像の画像サイズを拡大又は縮小させる処理、入力画像の一部を切り出す処理（即ち、入力画像に対するトリミング）、入力画像に任意の指標（文字やアイコン等）を重畳する処理は、入力画像の加工編集処理に相当する。
【００４２】
リンク情報処理部５２は、必要に応じてリンク情報を生成し、リンク情報を記録媒体１６に記録させる。リンク情報の意義及び利用方法については後述される。
【００４３】
表示制御部５３は、記録媒体１６から読み出された任意の入力画像又は入力画像に基づく画像を表示部１５の表示画面に表示させる制御を行う。スライドショー制御部５４は、表示部１５を用いて複数の入力画像を順次再生させるための処理を実行する。複数の入力画像を一定の間隔をおいて順次再生させることをスライドショー再生と呼ぶ。入力画像の再生とは、入力画像を表示画面上に表示させることを意味する。
【００４４】
以下、加工編集処理を経ていない入力画像と加工編集処理を経て得られた入力画像とを区別する必要がある場合、前者の入力画像を特に原画像と呼び、後者の入力画像を特に加工画像と呼ぶ。撮像装置１の撮影によって得られた静止画像又は動画像は、加工編集処理が施されることなく、まず記録媒体１６に記録される。この時点で記録される静止画像又は動画像は原画像である。その後、原画像に対して加工編集処理が施された場合、その加工編集処理後の原画像（換言すれば、原画像に加工編集処理を施して得られた画像）は加工画像である。
【００４５】
今、図６に示される５つの入力画像２０１〜２０５が記録媒体１６に記録されていることを想定する。図６には、入力画像２０１〜２０５の画像データを格納する５つの画像ファイルが示されている。入力画像２０１〜２０５の画像データは、夫々、画像ファイル２２１〜２２５に格納されている。
【００４６】
入力画像２０１〜２０５の内、１以上の入力画像は動画像であっても良い。仮に入力画像２０１が動画像である場合、スライドショー再生の実行中における入力画像２０１の再生は、入力画像２０１としての動画像の代表フレーム（例えば、１番目のフレーム）の再生、又は、入力画像２０１としての動画像の一部又は全部の再生である。但し、ここでは、入力画像２０１〜２０５が全て静止画像であることを想定する。また、入力画像２０１、２０２及び２０３及び２０５は原画像であって且つ入力画像２０４は加工画像であることを想定する。
【００４７】
最初に入力画像２０１が撮影された後、次に入力画像２０２が撮影され、更にその次に入力画像２０３が撮影されたものとする。入力画像２０３の撮影後、加工編集処理により入力画像２０１が加工され、入力画像２０１に加工編集処理を施すことで入力画像２０４が生成されたものとする。例えば、入力画像２０１の一部を切り出すことで得た画像が入力画像２０４とされる。入力画像２０４の生成後に、入力画像２０５が撮影されたものとする。従って、入力画像２０１、２０２、２０３及び２０５の撮影時刻の内、入力画像２０１の撮影時刻が最も早く、入力画像２０５の撮影時刻が最も遅い。入力画像２０４は入力画像２０１に基づく画像であるため、入力画像２０４の撮影時刻を入力画像２０１のそれと同じであるとみなすことができ、従って、画像ファイル２２４のヘッダ領域内の撮影時刻データを画像ファイル２２１のヘッダ領域内の撮影時刻データと一致させることができる。これに対し、入力画像２０１〜２０５の生成時刻の内、入力画像の生成時刻が１、２、３及び４番目に早い入力画像は、夫々、入力画像２０１、２０２、２０３及び２０４であり、入力画像の生成時刻が最も遅い入力画像は入力画像２０５である。また、加工画像の撮影地点データを、その加工画像の元になった原画像の撮影地点データと一致させることができる。従って、画像ファイル２２４のヘッダ領域内の撮影地点データを画像ファイル２２１のヘッダ領域内の撮影地点データと一致させることができる。
【００４８】
ファイル名に連続番号を含めることができる。この連続番号を、ファイル番号とも呼ぶ。ここでは、生成時刻が早いものから遅いものに向かって、ファイル番号“１”、“２”、“３”、“４”、 “５”、・・・が与えられるものとする。従って、画像ファイル２２１、２２２、２２３、２２４及び２２５のファイル名に、夫々、ファイル番号“１”、“２”、“３”、“４”及び“５”が割り振られる。図６の例では、各ファイル番号の前に“００”を付与し、更にその前に記号“ＳＡＮ”を付与することで各ファイル名を構成している。
【００４９】
ユーザは、操作部１７又はタッチパネル１９を用い、入力画像２０１〜２０５を再生対象に含めたスライドショー再生の実行を指示することができる。この指示が成された場合、スライドショー制御部５４は、スライドショー再生の一種である基本スライドショー再生α１を成すことができる。
【００５０】
基本スライドショー再生α１では、入力画像２０１〜２０５を単純にファイル番号順に並べた上で、順次１枚ずつ再生する。即ち、小さなファイル番号が与えられた入力画像から先に再生されるように、入力画像２０１〜２０５を順次１枚ずつ再生する。換言すれば、より小さなファイル番号が与えられた入力画像から順番に、第１、第２、第３、第４、第５・・・の再生順位を与える。より小さな再生順位を有する入力画像から順に再生が行われる（後述の改良スライドショー再生β１等においても同様）。尚、第ｉの再生順位は、第（ｉ＋１）の再生順位よりも小さいと考える。
或いは、基本スライドショー再生α１では、入力画像２０１〜２０５を単純に生成時刻順に並べた上で、順次１枚ずつ再生する。即ち、より早い生成時刻に対応する入力画像から先に再生されるように、入力画像２０１〜２０５を順次１枚ずつ再生する。換言すれば、より早い生成時刻に対応する入力画像から順番に、第１、第２、第３、第４、第５・・・の再生順位を与える。
【００５１】
何れにせよ、基本スライドショー再生α１では、入力画像２０１〜２０５のファイル番号のみ又は入力画像２０１〜２０５の生成時刻のみに基づいて入力画像２０１〜２０５の再生順序が決定され、結果、図７に示す如く、入力画像２０１、２０２、２０３、２０４及び２０５が、この順番で順次１枚ずつ再生される。スライドショー制御部５４が、基本スライドショー再生α１において決定する再生順序を特に基本再生順序と呼ぶ。
【００５２】
基本スライドショー再生α１には、改善すべき幾つかの点が存在する。スライドショー制御部５４は、基本スライドショー再生α１との比較において有益性を有する改良スライドショー再生β１を成すこともできる。改良スライドショー再生β１も、スライドショー再生の一種である。第１実施形態では、以下、特に記述なき限り、スライドショー再生として改良スライドショー再生β１が成されるものとする。
【００５３】
改良スライドショー再生β１の実現には、図５のリンク情報処理部５２によるリンク情報の生成及び記録が必要である。リンク情報は、複数の入力画像間の対応関係を示しており、複数の画像ファイル間の対応関係を示しているとも言える。リンク情報の生成及び記録方法として、リンク方法Ａ１〜Ａ３の何れかを採用可能である。
【００５４】
リンク方法Ａ１では、図８（ａ）に示す如く、リンク情報を、加工画像の画像ファイルである画像ファイル２２４のヘッダ領域に格納した上で記録媒体１６に記録する。画像ファイル２２４のヘッダ領域に格納されるリンク情報は、例えば画像ファイル２２１のファイル名を含んでいる。
リンク方法Ａ２は、図８（ｂ）に示す如く、リンク情報を、原画像の画像ファイルである画像ファイル２２１のヘッダ領域に格納した上で記録媒体１６に記録する。画像ファイル２２１のヘッダ領域に格納されるリンク情報は、例えば画像ファイル２２４のファイル名を含んでいる。
リンク方法Ａ３では、図８（ｃ）に示す如く、画像ファイル２２１〜２２５とは異なるリンクファイル２３０がリンク情報処理部５２により作成され、リンクファイル２３０内にリンク情報が格納される。リンク情報を含んだリンクファイル２３０は、記録媒体１６に記録される。
【００５５】
リンク方法Ａ１〜Ａ３の何れを採用した場合においても、リンク情報は、入力画像２０４が入力画像２０１に基づく加工画像であることを示す共に入力画像２０１が加工画像２０４に元になった原画像であることを示している。
【００５６】
改良スライドショー再生β１の具体的手順として、以下に、具体的手順Ｂ１〜Ｂ３を説明する。尚、具体的手順Ｂ１〜Ｂ３の何れにおいても、リンク情報が記録媒体１６に記録されていない場合には、基本スライドショー再生α１と同じ再生が成される。
【００５７】
［具体的手順Ｂ１］
改良スライドショー再生β１の具体的手順Ｂ１を説明する。具体的手順Ｂ１では、図８（ａ）に対応するリンク方法Ａ１が採用されていることを想定する。図９は、具体的手順Ｂ１における撮像装置１の動作フローチャートである。
【００５８】
まず、ステップＳ１１において、リンク方法Ａ１により加工画像に対応するヘッダ領域にリンク情報が記録される。その後、ステップＳ１２においてユーザによりスライドショー再生の開始指示が成されると、ステップＳ１３においてスライドショー制御部５４は、再生対象になっている全ての画像ファイルのヘッダ情報を記録媒体１６から読み込むことでリンク情報を取得する。ヘッダ情報とは、ヘッダ領域に格納されているデータ又は情報を指す。ここでは、画像ファイル２２４のヘッダ領域からリンク情報が取得される。リンク情報が取得されると、ステップＳ１４において、スライドショー制御部５４は、リンク情報に基づくスライドショー再生（即ち、改良スライドショー再生β１）を実行する。
【００５９】
仮に、或る画像ファイルに対して記録処理が行われている最中に撮像装置１の電源が遮断されたりすると、その画像ファイルが破壊されて復元できないこともある。リンク方法Ａ１を利用する場合には、リンク情報の記録時において原画像の画像ファイルに対し記録処理が行われないため、原画像の画像ファイルを損失するおそれが無い（或いは軽減される）。
【００６０】
ステップＳ１４におけるスライドショー再生に、以下の再生方法Ｃ１〜Ｃ４の何れかを採用可能である。
【００６１】
――再生方法Ｃ１――
再生方法Ｃ１を説明する。再生方法Ｃ１において、スライドショー制御部５４は、リンク情報に基づき、何れの入力画像が加工画像の元になった原画像であるのかを特定し、特定した原画像を再生対象から除外した上で、スライドショー再生を実行する。従って、入力画像２０１は再生対象から除外されて再生されず、入力画像２０２〜２０５が再生対象として順次再生される。
【００６２】
スライドショー制御部５４は、上述の基本再生順序を基準にして入力画像２０２〜２０５の再生順序を設定することができる。
例えば、入力画像２０２〜２０５のファイル番号又は生成時刻に基づいて入力画像２０２〜２０５の再生順序が決定することができる。この場合、図１０（ａ）に示す如く、入力画像２０２、２０３、２０４、２０５には、夫々、第１、第２、第３、第４の再生順位が与えられる。上述したように、より小さな再生順位を有する入力画像から順に再生が行われる。
但し、入力画像２０２、２０３及び２０５に対してはファイル番号又は生成時刻に基づいて再生順位を設定する一方、加工画像２０４に対しては基本スライドショー再生α１において原画像２０１に与えられるべきであった再生順位を与えるようにしても良い。この場合、図１０（ｂ）に示す如く、入力画像２０４、２０２、２０３、２０５に夫々、第１、第２、第３、第４の再生順位が与えられることになる。
【００６３】
――再生方法Ｃ２――
再生方法Ｃ２を説明する。再生方法Ｃ２において、スライドショー制御部５４は、リンク情報に基づき、何れの入力画像が加工画像であるのかを特定し、加工画像を再生対象から除外した上で、スライドショー再生を実行する。従って、入力画像２０４は再生対象から除外されて再生されず、入力画像２０１〜２０３及び２０５が再生対象として順次再生される。
【００６４】
再生方法Ｃ２が採用された場合、スライドショー制御部５４は、基本スライドショー再生α１の実行時と同様の方法にて、入力画像２０１〜２０３及び２０５の再生順序を設定することができる。結果、この場合、図１１（ａ）に示す如く、入力画像２０１、２０２、２０３、２０５に、夫々、第１、第２、第３、第４の再生順位が与えられる。
【００６５】
基本スライドショー再生α１では、原画像２０１とそれに類似していると予想される加工画像２０４とが別個に再生されるため、再生内容が冗長になりうる。再生方法Ｃ１又はＣ２によれば、原画像２０１及び加工画像２０４の何れか一方の再生が割愛されるため、このような冗長性の改善が見込める。図１１の例では、再生が割愛される加工画像の枚数が１枚であるが、加工画像が複数存在する場合には、複数の加工画像の再生を割愛することができる。
【００６６】
――再生方法Ｃ３――
再生方法Ｃ３を説明する。再生方法Ｃ３において、スライドショー制御部５４は、リンク情報に基づき、何れの入力画像が加工画像であるのかを特定すると共に何れの入力画像が加工画像の元になった原画像であるのかを特定し、特定した原画像及び加工画像を同時に再生する。
【００６７】
具体的には例えば、図１２（ａ）に示す如く、原画像２０１上に加工画像２０４を重畳し、加工画像２０４が重畳された原画像２０１を表示画面に表示する。この際、加工画像２０４が重畳された原画像２０１と単なる原画像２０１とを同一視した上で、基本スライドショー再生α１の実行時と同様の方法にて入力画像２０１〜２０３及び２０５の再生順序を設定することができる。この場合、加工画像２０４が重畳された原画像２０１、入力画像２０２、２０３、２０５に、夫々、第１、第２、第３、第４の再生順位が与えられる。
【００６８】
或いは例えば、図１２（ｂ）に示す如く、加工画像２０４上に原画像２０１を重畳し、原画像２０１が重畳された加工画像２０４を表示画面に表示する。この際、基本スライドショー再生α１において原画像２０１に与えられるべきであった再生順位を、原画像２０１が重畳された加工画像２０４に、与えるようにしても良い。他の入力画像に対しては、基本スライドショー再生α１の実行時と同様の方法にて再生順位が与えられる。結果、例えば、原画像２０１が重畳された加工画像２０４、入力画像２０２、２０３、２０５に、夫々、第１、第２、第３、第４の再生順位が与えられる。原画像２０１が重畳された加工画像２０４と単なる加工画像２０４とを同一視することで、入力画像２０２、入力画像２０３、原画像２０１が重畳された加工画像２０４、入力画像２０５に、夫々、第１、第２、第３、第４の再生順位を与えるようにしても良い。尚、原画像と加工画像を同時に再生する方法は上述の方法に限定されず、例えば、表示画面上において原画像と加工画像を並べて同時表示するようにしても良い。
【００６９】
基本スライドショー再生α１では、原画像２０１とそれに類似していると予想される加工画像２０４とが別個に再生されるため、再生内容が冗長になりうる。再生方法Ｃ３によれば、原画像２０１及び加工画像２０４が同時に再生されるため、このような冗長性の改善が見込める。
【００７０】
――再生方法Ｃ４――
再生方法Ｃ４を説明する。再生方法Ｃ４において、スライドショー制御部５４は、リンク情報に基づき、何れの入力画像が加工画像であるのかを特定すると共に何れの入力画像が加工画像の元になった原画像であるのかを特定し、特定した原画像及び加工画像が時間的に連続して再生されるように、複数の入力画像の再生順序を決定する（換言すれば、上述の基準再生順序を変更する）。
【００７１】
即ち、原画像２０１と加工画像２０４が連続して再生されるように、加工画像２０４に与えられる再生順位を、基準再生順序におけるそれから変更する。他の入力画像（２０１〜２０３及び２０５）に対しては、基本スライドショー再生α１の実行時と同様の方法にて再生順位が与えられる。この結果、図１３に示す如く、入力画像２０１、２０４、２０２、２０３、２０５に、夫々、第１、第２、第３、第４、第５の再生順位が与えられる。
【００７２】
スライドショー再生は、時系列に沿って再生が進行することが通常であり、スライドショー再生の閲覧者も時系列に沿って再生が進行することを予想又は期待している。また、時系列に沿って再生が進行することで再生映像が全体として物語のような映像効果を生み出す。仮に、基本スライドショー再生α１の如く（図７)、入力画像２０２及び２０３よりも前に撮影された原画像２０１に基づく加工画像２０４を、入力画像２０２及び２０３よりも後に再生したならば、このような物語性が崩れてしまう。再生方法Ｃ４は、このような物語性の維持に貢献する。
【００７３】
［具体的手順Ｂ２］
改良スライドショー再生β１の具体的手順Ｂ２を説明する。具体的手順Ｂ２では、図８（ｂ）に対応するリンク方法Ａ２が採用されていることを想定する。図１４は、具体的手順Ｂ２における撮像装置１の動作フローチャートである。
【００７４】
まず、ステップＳ３１において、リンク方法Ａ２により原画像に対応するヘッダ領域にリンク情報が記録される。その後、ステップＳ３２においてユーザによりスライドショー再生の開始指示が成されると、ステップＳ３３においてスライドショー制御部５４は、再生対象になっている全ての画像ファイルを、ファイル番号順又は生成時刻順に並べる。この結果、画像ファイル２２１〜２２５が夫々第１〜第５番目の画像ファイルとして設定される。次に、ステップＳ３４において変数ｊに１が代入され、続くステップＳ３５において、スライドショー制御部５４は、第ｊ番目の画像ファイルのヘッダ情報を読み込む。その後、ステップＳ３６において、読み込んだヘッダ情報にリンク情報が含まれているか否かを確認する。読み込んだヘッダ情報にリンク情報が含まれている場合、ステップＳ３７においてスライドショー制御部５４は、リンク情報に基づく入力画像の再生を行い、読み込んだヘッダ情報にリンク情報が含まれていない場合、ステップＳ３８においてスライドショー制御部５４は、第ｊ番目の画像ファイルの入力画像を再生する。ステップＳ３７又はＳ３８における再生後、ステップＳ３９にて変数ｊに１が加算されてからステップＳ３５に戻る。ステップＳ３５以降の各処理は、再生対象の画像ファイルが無くなるまで繰り返し実行される。
【００７５】
ステップＳ３７における再生処理に、上述の再生方法Ｃ１〜Ｃ４の何れかを適用可能である。換言すれば、上述の再生方法Ｃ１、Ｃ２、Ｃ３又はＣ４によるスライドショー再生と同様の再生結果が得られるように、ステップＳ３７における再生処理を実行することができる。
【００７６】
リンク方法Ａ２の採用時には、入力画像２０１のヘッダ領域にリンク情報が存在しているため、ｊ＝１のときにステップＳ３７の再生処理が実行される。
従って例えば、ｊ＝１のときに取得されたリンク情報に基づき、原画像２０１を再生対象から除外し、以後、図１０（ａ）に示す如く入力画像２０２、２０３、２０４及び２０５がこの順番で順次再生されるようにしても良いし、図１０（ｂ）に示す如く入力画像２０４、２０２、２０３及び２０５がこの順番で順次再生されるようにしても良い。
或いは例えば、ｊ＝１のときに取得されたリンク情報に基づき、加工画像２０４を再生対象から除外し、以後、図１１に示す如く入力画像２０１、２０２、２０３及び２０５がこの順番で順次再生されるようにしても良い。
更に或いは例えば、ｊ＝１のときに取得されたリンク情報に基づき、加工画像２０４が重畳された原画像２０１又は原画像２０１が重畳された加工画像２０４を生成し、以後、図１２（ａ）に示す如く加工画像２０４が重畳された原画像２０１、入力画像２０２、２０３及び２０５がこの順番で順次再生されるようにしても良いし、図１２（ｂ）に示す如く原画像２０１が重畳された加工画像２０４、入力画像２０２、２０３及び２０５がこの順番で順次再生されるようにしても良い。
更に或いは例えば、ｊ＝１のときに取得されたリンク情報に基づき、入力画像２０１及び２０４に夫々第１及び第２の再生順位を与え、図１３に示す如く入力画像２０１及び２０４を連続して再生するようにしても良い（この後は、入力画像２０２、２０３及び２０５が順次再生される）。
【００７７】
図９に示す動作では、スライドショー再生を実際に開始する前に、再生対象になっている画像ファイルのヘッダ情報を全て読み込む必要がある。これに対し、図１４に示す動作では、そのような必要性は無い。即ち、再生対象になっている画像ファイルのヘッダ情報を全て読み込まなくとも実際の再生を開始することができるため、ユーザによるスライドショー再生の開始指示から実際にスライドショー再生が開始されるまでのタイムラグを短縮することができる。
【００７８】
但し、図８（ｂ）に対応するリンク方法Ａ２を採用する場合においても、図９に示す動作と同様、スライドショー再生の開始指示後に（即ち、図１４のステップＳ３２の後に）、図９のステップＳ１３及びＳ１４の処理を実行するようにしても良い。
【００７９】
［具体的手順Ｂ３］
改良スライドショー再生β１の具体的手順Ｂ３を説明する。具体的手順Ｂ３では、図８（ｃ）に対応するリンク方法Ａ３が採用されていることを想定する。図１５は、具体的手順Ｂ３における撮像装置１の動作フローチャートである。
【００８０】
まず、ステップＳ５１において、リンク方法Ａ３によりリンク情報をリンクファイル２３０に格納した上で記録媒体１６に記録する。その後、ステップＳ５２においてユーザによりスライドショー再生の開始指示が成されると、ステップＳ５３においてスライドショー制御部５４は、リンクファイル２３０を記録媒体１６から読み込むことでリンク情報を取得する。その後、ステップＳ５４において、スライドショー制御部５４は、リンク情報に基づくスライドショー再生（即ち、改良スライドショー再生β１）を実行する。ステップＳ５４におけるスライドショー再生は、図９のステップＳ１４におけるそれと同じである。従って、上述の再生方法Ｃ１〜Ｃ４の何れかを利用してステップＳ５４におけるスライドショー再生を成すことができる。
【００８１】
尚、図１４のステップＳ３５を繰り返し実行することで順次読み込まれるヘッダ情報を列挙したものがリンクファイル２３０に格納されている、と考えることもできる。従って、図１５のステップＳ５１及びＳ５２の後、ステップＳ５３及びＳ５４ではなく、図１４のステップＳ３３〜Ｓ３９と同様の処理を実行するようにしても良い。
【００８２】
リンク方法Ａ３を利用する場合には、リンク情報の記録時において原画像及び加工画像の画像ファイルに対し記録処理が行われないため、原画像及び加工画像の画像ファイルを損失するおそれが無い（或いは軽減される）。
【００８３】
［応用例Ｂ４］
改良スライドショー再生β１の応用例Ｂ４を説明する。ユーザは、タッチパネル１９又は操作部１７を用いて様々なファイル操作の実行を撮像装置１に指示することができる。ファイル操作には、例えば、或る画像ファイルのファイル名を変更する処理や、或る画像ファイルを記録媒体１６から削除する処理が含まれる。
【００８４】
リンク情報によって、複数の入力画像間の対応関係が示されるのではあるが、リンク情報の作成後に、リンク情報に関連する画像ファイルのファイル名が変更されたり、リンク情報に関連する画像ファイルが削除されたりすると、問題が生じ得る。
【００８５】
例えば、図８（ｂ）のリンク方法Ａ２を採用した場合において、図６に示す如く入力画像２０１〜２０３を格納した画像ファイル２２１〜２２３が記録された後、入力画像２０１に対する加工編集処理により入力画像２０４及び画像ファイル２２４が生成されると、画像ファイル２２１のヘッダ領域に画像ファイル２２４のファイル名“ＳＡＮ０００４”がリンク情報として書き込まれる。この後、仮にファイル操作によって画像ファイル２２４が削除されると共に、入力画像２０４と異なる他の入力画像を格納した画像ファイルに対して新たにファイル名“ＳＡＮ０００４”が付与されると、入力画像２０１と何ら関係の無い該他の入力画像が、入力画像２０１の加工画像と取り扱われた上でスライドショー再生が実行されることになる。このような事態は避けられるべきである。
【００８６】
そこで、応用例Ｂ４では、リンク情報が示す対応関係の信頼性を補強する方法を提案する。この信頼性の補強方法は、具体的手順Ｂ１〜Ｂ３の何れに対しても適用可能である。以下に示す如くリンク情報の有効又は無効を判断することにより、信頼性の補強を成すことができる。
【００８７】
今、図１６（ａ）に示す如く画像ファイル２７１及び２７２に夫々入力画像２５１及び２５２が格納されており、入力画像２５２が原画像２５１に基づく加工画像であることがリンク情報２８１によって示されていることを想定し、上記補強方法を説明する。リンク情報２８１は、例えば、画像ファイル２７１のヘッダ領域に格納された、画像ファイル２７２のファイル名である。
【００８８】
入力画像２５２が原画像２５１に基づく加工画像であるならば、両者の撮影時刻データは一致しているはずである。そこで、画像ファイル２７１及び２７２の撮影時刻データが一致しているという条件（以下、第１条件という）を設定し、第１条件の充足時にリンク情報２８１が有効であると判断し、第１条件の不充足時にはリンク情報２８１が無効であると判断しても良い。
また、入力画像２５２が原画像２５１に基づく加工画像であるならば、両者の撮影地点データは一致しているはずである。そこで、画像ファイル２７１及び２７２の撮影地点データが一致しているという条件（以下、第２条件という）を設定し、第２条件の充足時にリンク情報２８１が有効であると判断し、第２条件の不充足時にはリンク情報２８１が無効であると判断しても良い。
また、入力画像２５２が原画像２５１に基づく加工画像であるならば、両者はある程度類似しているはずである。そこで、入力画像２５１及び２５２が互いに類似しているという条件（以下、第３条件という）を設定し、第３条件の充足時にリンク情報２８１が有効であると判断し、第３条件の不充足時にはリンク情報２８１が無効であると判断しても良い。入力画像２５１及び２５２が互いに類似しているか否かの判断方法として、公知の方法（例えば、上記特許文献１又は２に記載された方法）を含む任意の判断方法を利用可能である。入力画像２５１及び２５２の画像データから入力画像２５１及び２５２の画像特徴量を個別に抽出し、入力画像２５１及び２５２の画像特徴量を対比することによって入力画像２５１及び２５２が互いに類似しているか否かを判断することができる。
第１〜第３条件の内の何れか２つが充足しているときにのみリンク情報２８１が有効であると判断しても良いし、第１〜第３条件が全て充足しているときにのみリンク情報２８１が有効であると判断しても良い。
【００８９】
リンク情報２８１が有効であると判断された場合、入力画像２５２が原画像２５１に基づく加工画像であるという事象の信頼性は高いと判断し、スライドショー制御部５４は、具体的手順Ｂ１〜Ｂ３で述べた通りのスライドショー再生を成すことができる。一方、リンク情報２８１が無効であると判断された場合、入力画像２５２が原画像２５１に基づく加工画像であるという事象の信頼性は低いと判断し、スライドショー制御部５４は、リンク情報２８１の存在を無視してスライドショー再生を成すことができる。
【００９０】
尚、図１６（ｂ）に示す如く、画像ファイル２７１のヘッダ領域にリンク情報２８１が格納されているだけでなく、画像ファイル２７２のヘッダ領域にもリンク情報２８２が格納されている場合には、リンク情報２８１及び２８２を照合することによって上記信頼性の高低判断を更に補強することができる。
【００９１】
＜＜第２実施形態＞＞
本発明の第２実施形態を説明する。第２実施形態は、第１実施形態を基礎とする実施形態であり、第２実施形態において特に述べない事項に関しては、矛盾なき限り、第１実施形態の記載が第２実施形態にも適用される。
【００９２】
第２実施形態では、図１７（ａ）に示されるような撮影順序で撮影が成され、結果、図１７（ｂ）に示す入力画像３０１〜３０５が得られたことを想定する。入力画像３０１は動画像であり、入力画像３０２〜３０５の夫々は静止画像である。従って、以下では、入力画像３０１を動画像３０１と表記することがあり、入力画像３０２〜３０５を静止画像３０２〜３０５と表記することがある。入力画像３０１〜３０５の画像データは、画像ファイル３２１〜３２５の本体領域に格納された上で記録媒体１６に記録される。
【００９３】
時間が進行するにつれ、時刻ｔ１、ｔ２、ｔ３、ｔ４、ｔ５及びｔ６がこの順番で訪れるものとする。時刻ｔ１から時刻ｔ４までの期間が動画像３０１の撮影期間であり、動画像３０１の撮影期間中の時刻である時刻ｔ２及びｔ３において、夫々、静止画像３０２及び３０３が撮影されたものとする。時刻ｔ２におけるＲＡＷデータから、時刻ｔ２における動画像３０１のフレームを生成することができると共に、静止画像３０２を生成することができる（時刻ｔ３についても同様）。動画像３０１の撮影終了後、時刻ｔ５及びｔ６において、夫々、静止画像３０４及び３０５が撮影されたものとする。
【００９４】
ここでは、動画像３０１の撮影時刻データが動画像３０１の撮影開始時刻ｔ１を表しているものとする。そうすると、入力画像３０１〜３０５の内、入力画像３０１の撮影時刻が最も早い。第１実施形態と同様、画像ファイル３２１〜３２５のファイル名にファイル番号を含めることができる。ここでは、撮影時刻が早いものから遅いものに向かって、ファイル番号“１”、“２”、“３”、“４”及び“５”が与えられるものとする。即ち、画像ファイル３２１、３２２、３２３、３２４及び３２５のファイル名に、夫々、ファイル番号“１”、“２”、“３”、“４”及び“５”が割り振られる。図１７（ｂ）の例では、各ファイル番号の前に“００”を付与し、更にその前に記号“ＳＡＮ”を付与することで各ファイル名を構成している。
【００９５】
尚、動画像の画像ファイルと静止画像の画像ファイルとでは、通常、ファイル名の拡張子が異なる。従って、共通のファイル番号を有する動画像の画像ファイルと静止画像の画像ファイルを記録媒体１６内に並存させることも可能であるが、ここでは、上述の如く、入力画像３０１〜３０５に互いに異なるファイル番号が与えられているものとする。
【００９６】
ユーザは、操作部１７又はタッチパネル１９を用い、入力画像３０１〜３０５を再生対象に含めたスライドショー再生の実行を指示することができる。スライドショー再生の実行中における入力画像３０１の再生は、入力画像３０１としての動画像の代表フレーム（例えば、１番目のフレーム）の再生、又は、入力画像３０１としての動画像の一部又は全部の再生である。スライドショー再生の実行が指示された場合、スライドショー制御部５４（図５参照）は、スライドショー再生の一種である基本スライドショー再生α２を成すことができる。
【００９７】
基本スライドショー再生α２では、入力画像３０１〜３０５を単純にファイル番号順に並べた上で、順次１枚ずつ再生する。即ち、小さなファイル番号が与えられた入力画像から先に再生されるように、入力画像３０１〜３０５を順次再生する。換言すれば、より小さなファイル番号が与えられた入力画像から順番に、第１、第２、第３、第４、第５・・・の再生順位を与える。第１実施形態でも述べたように、より小さな再生順位を有する入力画像から順に再生が行われる（後述の改良スライドショー再生β２等においても同様）。
或いは、基本スライドショー再生α２では、入力画像３０１〜３０５を単純に撮影時刻順に並べた上で、順次再生する。即ち、より早い撮影時刻に対応する入力画像から先に再生されるように、入力画像３０１〜３０５を順次再生する。換言すれば、より早い撮影時刻に対応する入力画像から順番に、第１、第２、第３、第４、第５・・・の再生順位を与える。
【００９８】
何れにせよ、基本スライドショー再生α２では、入力画像３０１〜３０５のファイル番号のみ又は入力画像３０１〜３０５の撮影時刻のみに基づいて入力画像３０１〜３０５の再生順序が決定され、結果、図１８に示す如く、入力画像３０１、３０２、３０３、３０４及び３０５が、この順番で順次再生される。
【００９９】
以下、動画像の撮影期間中に撮影された静止画像としての入力画像を、特に、対象静止画像と呼び、自身の撮影期間中に１枚以上の対象静止画像が撮影された動画像としての入力画像を対象動画像と呼ぶ。従って、入力画像３０１は対象動画像であり、入力画像３０２及び３０３は対象静止画像である。
【０１００】
基本スライドショー再生α２には、改善すべき幾つかの点が存在する。スライドショー制御部５４は、基本スライドショー再生α２との比較において有益性を有する改良スライドショー再生β２を成すこともできる。改良スライドショー再生β２も、スライドショー再生の一種である。第２実施形態では、以下、特に記述なき限り、スライドショー再生として改良スライドショー再生β２が成されるものとする。
【０１０１】
改良スライドショー再生β２の実現には、図５のリンク情報処理部５２によるリンク情報の生成及び記録が必要である。第１実施形態と同様、リンク情報は、複数の入力画像間の対応関係を示しており、複数の画像ファイル間の対応関係を示しているとも言える。第２実施形態に係るリンク情報の生成及び記録方法として、リンク方法Ｄ１〜Ｄ３の何れかを採用可能である。リンク方法Ｄ１〜Ｄ３は、夫々、図８（ａ）〜（ｃ）のリンク方法Ａ１〜Ａ３と類似している。
【０１０２】
リンク方法Ｄ１では、図１９（ａ）に示す如く、リンク情報を、対象静止画像の画像ファイルである画像ファイル３２２のヘッダ領域に格納した上で記録媒体１６に記録する。同様に、画像ファイル３２３のヘッダ領域にもリンク情報が格納される。画像ファイル３２２及び３２３のヘッダ領域に格納されるリンク情報は、例えば画像ファイル３２１のファイル名を含んでいる。
リンク方法Ｄ２は、図１９（ｂ）に示す如く、リンク情報を、対象動画像の画像ファイルである画像ファイル３２１のヘッダ領域に格納した上で記録媒体１６に記録する。画像ファイル３２１のヘッダ領域に格納されるリンク情報は、例えば画像ファイル３２２及び３２３のファイル名を含んでいる。
リンク方法Ｄ３では、図１９（ｃ）に示す如く、画像ファイル３２１〜３２５とは異なるリンクファイル３３０がリンク情報処理部５２により作成され、リンクファイル３３０内にリンク情報が格納される。リンク情報を含んだリンクファイル３３０は、記録媒体１６に記録される。
【０１０３】
リンク方法Ｄ１〜Ｄ３の何れを採用した場合においても、リンク情報は、入力画像３０１が対象動画像であって且つ入力画像３０２及び３０３が対象動画像３０１の撮影期間中に撮影された対象静止画像であることを示している。
【０１０４】
改良スライドショー再生β２の具体的手順は、第１実施形態において図９、図１４又は図１５を参照して説明した具体的手順Ｂ１〜Ｂ３の何れかと同様であり、リンク情報の信頼性補強に関する応用例Ｂ４を改良スライドショー再生β２に適用することもできる。但し、具体的手順Ｂ１〜Ｂ４及び応用例Ｂ４の説明文を改良スライドショー再生β２に適用する際、原画像及び加工画像を夫々対象動画像及び対象静止画像に読み替えると良い。改良スライドショー再生β２に、図９に対応する具体的手順Ｂ１、図１４に対応する具体的手順Ｂ２、図１５に対応する具体的手順Ｂ３を適用する場合、夫々、図１９（ａ）に対応するリンク方法Ｄ１、図１９（ｂ）に対応するリンク方法Ｄ２、図１９（ｃ）に対応するリンク方法Ｄ３を採用することができる。
【０１０５】
また、改良スライドショー再生β２に、以下の再生方法Ｅ１〜Ｅ５の何れかを採用可能である。
【０１０６】
――再生方法Ｅ１――
再生方法Ｅ１を説明する。再生方法Ｅ１において、スライドショー制御部５４は、リンク情報に基づき、何れの入力画像が対象動画像であるのかを特定し、対象動画像を再生対象から除外した上で、スライドショー再生を実行する。従って、入力画像３０１は再生対象から除外されて再生されず、入力画像３０２〜３０５が再生対象として順次再生される。スライドショー制御部５４は、基準スライドショー再生α２の実行時と同様の方法にて入力画像３０２〜３０５の再生順序を設定することができる。従って例えば、図２０に示す如く、入力画像３０２、３０３、３０４及び３０５を、この順番で順次再生することができる。
【０１０７】
――再生方法Ｅ２――
再生方法Ｅ２を説明する。再生方法Ｅ２において、スライドショー制御部５４は、リンク情報に基づき、何れの入力画像が対象静止画像であるのかを特定し、対象静止画像を再生対象から除外した上で、スライドショー再生を実行する。従って、入力画像３０２及び３０３は再生対象から除外されて再生されず、入力画像３０１、３０４及び３０５が再生対象として順次再生される。スライドショー制御部５４は、基準スライドショー再生α２の実行時と同様の方法にて入力画像３０１、３０４及び３０５の再生順序を設定することができる。従って例えば、図２１に示す如く、入力画像３０１、３０４及び３０５を、この順番で順次再生することができる。
【０１０８】
基本スライドショー再生α２では、図１８に示す如く、対象動画像３０１と、対象動画像３０１中のフレームと一致又は類似している対象静止画像３０２及び３０３と、が別個に再生されるため、再生内容が冗長になりうる。再生方法Ｅ１又はＥ２によれば、対象動画像及び対象静止画像の何れか一方の再生が割愛されるため、このような冗長性の改善が見込める。図２１の例では、再生が割愛される対象静止画像の枚数が２枚になっているが、再生が割愛される対象静止画像の枚数は１枚になることもあるし、３枚以上になることもある。
【０１０９】
――再生方法Ｅ３――
再生方法Ｅ３を説明する。再生方法Ｅ３において、スライドショー制御部５４は、リンク情報に基づき、何れの入力画像が対象動画像及び対象静止画像であるのかを特定し、対象動画像及び対象静止画像を同時に再生する。
【０１１０】
具体的には例えば、図２２（ａ）に示す如く、入力画像３０１の撮影期間の全体又は一部を動画像として再生し、その後、入力画像３０４及び３０５を順次再生する。但し、入力画像３０１を動画像として再生している期間中、入力画像３０２及び３０３を入力画像３０１上に重畳して再生するようにする。即ち例えば、入力画像３０１の再生時には、表示画面の表示領域に互いに異なる第１及び第２分割表示領域を設定し、第１分割表示領域中に入力画像３０１を動画像として再生すると同時に、第２分割表示領域中に入力画像３０２及び３０３を静止画像として順次再生する。
【０１１１】
或いは例えば、図２２（ｂ）に示す如く、動画像３０１を単独で再生することなく、入力画像３０２、３０３、３０４及び３０５を、この順番で順次再生する。但し、入力画像３０２及び３０３を再生している期間中、入力画像３０１を入力画像３０２及び３０３上に重畳した状態で動画像として再生するようにする。即ち例えば、入力画像３０２及び３０３の再生時には、表示画面の表示領域に互いに異なる第１及び第２分割表示領域を設定し、第１分割表示領域中に入力画像３０２及び３０３を静止画像とし順次再生すると同時に、第２分割表示領域中に入力画像３０１を動画像として再生する。
【０１１２】
第１分割表示領域に対象動画像と対象静止画像のどちらを割り当てるのかが異なるだけで、図２２（ａ）に示す例と図２２（ｂ）に示す例は、実質的に等価とも言える。また、第１及び第２分割表示領域は、表示画面の水平又は垂直方向において互いに隣接する表示領域であっても良い。この場合、対象動画像と対象静止画像は、表示画面上で並べて表示されることになる。
【０１１３】
基本スライドショー再生α２では、対象動画像３０１と、対象動画像３０１中のフレームと一致又は類似している対象静止画像３０２及び３０３と、が別個に再生されるため、再生内容が冗長になりうる。再生方法Ｅ３によれば、対象動画像及び対象静止画像が同時に再生されるため、このような冗長性の改善が見込める。
【０１１４】
――再生方法Ｅ４――
再生方法Ｅ４を説明する。再生方法Ｅ４において、スライドショー制御部５４は、リンク情報に基づき、何れの入力画像が対象動画像及び対象静止画像であるのかを特定する。そして、対象静止画像の撮影時刻を基準とする特定期間を設定し、スライドショー再生において特定期間中の対象動画像を再生するようにする。
【０１１５】
図２３（ａ）及び（ｂ）を参照して、再生方法Ｅ４の具体例を説明する。スライドショー制御部５４は、リンク情報から入力画像３０１が対象動画像であると共に入力画像３０２及び３０３が対象静止画像であることを認識し、入力画像３０２及び３０３を格納する画像ファイル３２２及び３２３から撮影時刻データを読み出すことで入力画像３０２及び３０３の撮影時刻ｔ２及びｔ３を認識する。そして、撮影時刻ｔ２を基準とする特定期間Ｐｔ２及び撮影時刻ｔ３を基準とする特定期間Ｐｔ３を設定する。特定期間Ｐｔ２は、時刻（ｔ２−ΔｔＡ）から時刻ｔ２までの期間、時刻ｔ２から時刻（ｔ２＋ΔｔＢ）までの期間、又は、時刻（ｔ２−ΔｔＡ）から時刻（ｔ２＋ΔｔＢ）までの期間である。時刻（ｔ２−ΔｔＡ）は、時刻ｔ２のΔｔＡ秒前の時刻を表し、時刻（ｔ２＋ΔｔＢ）は、時刻ｔ２のΔｔＢ秒後の時刻を表す。ΔｔＡ及びΔｔＢは正の値を有する。ΔｔＡ及びΔｔＢは、互いに一致していても良いし一致していなくても良い。特定期間Ｐｔ２中における動画像３０１及び特定期間Ｐｔ３中における動画像３０１を、便宜上、夫々、動画像３０１［ｔ２］及び３０１［ｔ３］と表記する。
【０１１６】
特定期間Ｐｔ２及びＰｔ３の設定後、スライドショー再生において、スライドショー制御部５４は、図２３（ｂ）に示す如く、まず動画像３０１［ｔ２］を再生し、次に動画像３０１［ｔ３］を再生する。その後、入力画像３０４及び３０５を順次再生する。
【０１１７】
スライドショー再生において、動画像の全体を再生すると必要再生時間が比較的長くなり、再生内容が冗長となりうる。一方、対象静止画像を撮影したタイミングにおける撮影シーンは、撮影者にとって比較的重要なシーンである可能性が高い。これを考慮し、スライドショー再生において動画像を再生する際、上述の如く、対象静止画像の撮影時刻周辺の動画像のみを再生する。これにより、主要な部分のみが再生され、再生内容の冗長性が改善される。
【０１１８】
――再生方法Ｅ５――
再生方法Ｅ５を説明する。再生方法Ｅ５において、スライドショー制御部５４は、リンク情報に基づき、何れの入力画像が対象動画像及び対象静止画像であるのかを特定する。そして、スライドショー再生において対象動画像を再生する際、対象動画像を再生している最中に対象静止画像の再生を挿入する。
【０１１９】
図２４（ａ）及び（ｂ）を参照して、再生方法Ｅ５の具体例を説明する。スライドショー制御部５４は、リンク情報から入力画像３０１が対象動画像であると共に入力画像３０２及び３０３が対象静止画像であることを認識し、入力画像３０２及び３０３を格納する画像ファイル３２２及び３２３から撮影時刻データを読み出すことで入力画像３０２及び３０３の撮影時刻ｔ２及びｔ３を認識する。そして、撮影時刻ｔ２を基準とする期間Ｐ［１］及びＰ［２］を設定すると共に撮影時刻ｔ３を基準とする期間Ｐ［３］及びＰ［４］を設定する。期間Ｐ［１］及びＰ［２］は、夫々、時刻（ｔ２−ΔｔＡ）から時刻ｔ２までの期間及び時刻ｔ２から時刻（ｔ２＋ΔｔＢ）までの期間である。期間Ｐ［３］及びＰ［４］は、夫々、時刻（ｔ３−ΔｔＡ）から時刻ｔ３までの期間、時刻ｔ３から時刻（ｔ３＋ΔｔＢ）までの期間である。期間Ｐ［１］中における動画像３０１、期間Ｐ［２］中における動画像３０１、期間Ｐ［３］中における動画像３０１及び期間Ｐ［４］中における動画像３０１を、便宜上、夫々、動画像３０１［１］、３０１［２］、３０１［３］及び３０１［４］と表記する。
【０１２０】
期間Ｐ［１］〜Ｐ［４］の設定後、スライドショー再生において、スライドショー制御部５４は、図２４（ｂ）に示す如く、第１に動画像３０１［１］を再生し、第２に対象静止画像３０２を再生し、第３に動画像３０１［２］を再生し、第４に動画像３０１［３］を再生し、第５に入力画像３０３を再生し、第６に動画像３０１［４］を再生し、その後、入力画像３０４及び３０５を順次再生する。但し、動画像３０１［１］及び３０１［３］の再生を割愛することも可能であり、或いは、動画像３０１［２］及び３０１［４］の再生を割愛することも可能である。
【０１２１】
このように、スライドショー再生において動画像３０１の再生を行う際、動画像３０１の再生中に対象静止画像３０２及び３０３の再生を挿入する。これによっても、再生方法Ｅ４と同様、主要な動画像部分のみが再生され、再生内容の冗長性が改善される。また、対象動画像と対象静止画像との時間的関係がスライドショーの閲覧者に理解され易くなり、スライドショーの持つ、物語のような映像効果を高めることができる。
【０１２２】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜注釈３を記す。各注釈に記載した内容は、矛盾なき限り、任意に組み合わせることが可能である。
【０１２３】
［注釈１］
上述の実施形態では、スライドショー再生において入力画像が１枚ずつ順次再生されることが基本となっているが、スライドショー再生において入力画像をｋ枚ずつ順次再生するようにしても良い（ｋは２以上の整数）。
【０１２４】
［注釈２］
撮像装置１にて入力画像の再生が行われるとき、撮像装置１は画像再生装置として機能する。図２５に示す如く、撮像装置１と異なる電子機器４０１に、図５に示されるものと同様の画像処理部５１、リンク情報処理部５２、表示制御部５３、表示部１５及び記録媒体１６を設け、電子機器４０１上において上述のスライドショー再生を実行するようにしても良い。上述のスライドショー再生を実行する電子機器４０１も、画像再生装置と呼べる。電子機器４０１は、例えば、パーソナルコンピュータ、携帯情報端末、携帯電話機である。尚、撮像装置１も、電子機器の一種である。
【０１２５】
［注釈３］
図１の撮像装置１及び電子機器４０１を、ハードウェア、或いは、ハードウェアとソフトウェアの組み合わせによって構成することができる。ソフトウェアを用いて撮像装置１及び電子機器４０１を構成する場合、ソフトウェアにて実現される部位についてのブロック図は、その部位の機能ブロック図を表すことになる。特に、画像処理部５１、リンク情報処理部５２及び表示制御部５３を用いて実現される機能の全部又は一部をプログラムとして記述し、該プログラムをプログラム実行装置（例えばコンピュータ）上で実行することによって、その機能の全部又は一部を実現するようにしてもよい。
【符号の説明】
【０１２６】
１  撮像装置
５１  画像処理部
５２  リンク情報処理部
５３  表示制御部
５４  スライドショー制御部
【図１】
2012090188.tif 000003
【図２】
2012090188.tif 000004
【図３】
2012090188.tif 000005
【図４】
2012090188.tif 000006
【図５】
2012090188.tif 000007
【図６】
2012090188.tif 000008
【図７】
2012090188.tif 000009
【図８】
2012090188.tif 000010
【図９】
2012090188.tif 000011
【図１０】
2012090188.tif 000012
【図１１】
2012090188.tif 000013
【図１２】
2012090188.tif 000014
【図１３】
2012090188.tif 000015
【図１４】
2012090188.tif 000016
【図１５】
2012090188.tif 000017
【図１６】
2012090188.tif 000018
【図１７】
2012090188.tif 000019
【図１８】
2012090188.tif 000020
【図１９】
2012090188.tif 000021
【図２０】
2012090188.tif 000022
【図２１】
2012090188.tif 000023
【図２２】
2012090188.tif 000024
【図２３】
2012090188.tif 000025
【図２４】
2012090188.tif 000026
【図２５】
2012090188.tif 000027
【図２６】
2012090188.tif 000028
【図２７】
2012090188.tif 000029
【図２８】
2012090188.tif 000030
【図２９】
2012090188.tif 000031